(57)【要約】【課題】患者の年齢に対応した表示形態でディプレイを表示させることにより、患者が表示内容を容易に把握できる医療情報システムを提供する。【解決手段】患者が携行する電子式の診察券から、カード情報読取手段１１により、患者の個人情報を読み取り、この読み取った患者の個人情報から、患者年齢判断手段１３により患者の年齢を判断する。画面表示フォーマット選択手段１４は、患者の年齢に応じて異なる表示形態に設定した複数の画面表示フォーマット１６Ａ，１６Ｂ，１６Ｃを有し、患者年齢に対応する画面表示フォーマットを選択する。この選択された年齢対応の画面表示フォーマットを、画面表示処理手段１７によりディスプレイ１５に表示させる。【選択図】図１
2008107952.tif 000002
【特許請求の範囲】
【請求項１】
患者が携行する電子式の診察券から、患者の個人情報を読み取るカード情報読取手段と、
このカード情報読取手段により読み取った患者の個人情報から患者の年齢を判断する患者年齢判断手段と、
患者による操作画面を、患者の年齢に応じて異なる表示形態に設定した複数の画面表示フォーマットを有し、これら複数の画面表示フォーマットから、前記患者年齢判断手段により判断された患者年齢に対応する画面表示フォーマットを選択する画面表示フォーマット選択手段と、
この画面表示フォーマット選択手段によって選択された年齢対応の画面表示フォーマットをディスプレイに表示させる画面表示処理手段と
を備えたことを特徴とする医療情報システム。
【請求項２】
患者などの操作により点灯動作する係員呼び出しランプをシステム本体及び事務局の少なくともいずれかに設けたことを特徴とすることを特徴とする請求項１に記載の医療情報システム。
【請求項３】
複数の画面表示フォーマットは、標準の画面表示フォーマットと、この標準の画面表示フォーマットより文字の大きな高齢者用の画面表示フォーマットとを有することを特徴とする請求項１又は請求項２に記載の医療情報システム。
【請求項４】
画面表示フォーマットは、係員呼び出し用のボタンを有し、このボタンが操作されることにより係員呼び出しランプが点灯するように構成したことを特徴とする請求項２又は請求項３に記載の医療情報システム。
【請求項５】
画面表示処理手段により選択された画面表示フォーマットがディスプレイに表示されると、その表示開始時点から計時し、予め設定した時間経過しても表示された画面に対する操作が行なわれないときは、係員呼び出しランプを点灯させる時計手段を設けたことを特徴とする請求項２乃至請求項４のいずれかに記載の医療情報システム。
【発明の詳細な説明】
【技術分野】
【０００１】
本発明は、病院における患者の各科受診受付などに用いられる医療情報システムに関する。
【背景技術】
【０００２】
一般に、病院では、来院した患者を受付け、この患者を該当する診療科に案内し、医師により診察後、医師の処方箋などにしたがって調剤を行い、その後会計処理を行うようになっている。従来、このような病院内における書類の流れは、カルテなどを中心とした紙書類で行われていた。しかし近年、これらの情報の流れを電子化し、コンピュータシステムにより情報を取扱い、情報伝達の効率化、迅速化を図ることが提案されている（例えば、特許文献１参照）。
【特許文献１】特開平７−３１９９５８号公報
【発明の開示】
【発明が解決しようとする課題】
【０００３】
上述のシステムは、患者が診察券として用いられるカードを受付端末に挿入し、受付端末側において前記カードに記録された情報を読み取ることにより、患者の受診受付を行うものであり、さらに、待ち時間を表示できるようにして患者に対する利便性を向上させている。
【０００４】
このような、所謂電子的な受付を行う場合、患者はディスプレイに表示された内容を確認しながら操作を行う必要がある。しかし、患者には、この種の電子機器の操作に不慣れな高齢者なども多く、高齢者であっても容易に表示内容を確認できることが重要である。
【０００５】
ところが、これまでのこの種の受付機では、ディスプレイへの表示形態は画一なものであり、高齢者には容易に確認し難いものであった。
【０００６】
本発明の目的は、患者の年齢に対応した表示形態でディプレイを表示させることにより、患者が表示内容を容易に把握できる医療情報システムを提供することにある。
【課題を解決するための手段】
【０００７】
本発明による医療情報システムは、患者が携行する電子式の診察券から、患者の個人情報を読み取るカード情報読取手段と、このカード情報読取手段により読み取った患者の個人情報から患者の年齢を判断する患者年齢判断手段と、患者による操作画面を、患者の年齢に応じて異なる表示形態に設定した複数の画面表示フォーマットを有し、これら複数の画面表示フォーマットから、前記患者年齢判断手段により判断された患者年齢に対応する画面表示フォーマットを選択する画面表示フォーマット選択手段と、この画面表示フォーマット選択手段によって選択された年齢対応の画面表示フォーマットをディスプレイに表示させる画面表示処理手段とを備えたことを特徴とする。
【０００８】
本発明では、患者などの操作により点灯動作する係員呼び出しランプをシステム本体及び事務局の少なくともいずれかに設けるとよい。
【０００９】
また、本発明では、複数の画面表示フォーマットは、標準の画面表示フォーマットと、この標準の画面表示フォーマットより文字の大きな高齢者用の画面表示フォーマットとを有する。
【００１０】
また、本発明では、画面表示フォーマットは、係員呼び出し用のボタンを有し、このボタンが操作されることにより係員呼び出しランプが点灯するように構成するとよい。
【００１１】
さらに、本発明では、画面表示処理手段により選択された画面表示フォーマットがディスプレイに表示されると、その表示開始時点から計時し、予め設定した時間経過しても表示された画面に対する操作が行なわれないときは、係員呼び出しランプを点灯させる時計手段を設けてもよい。
【発明の効果】
【００１２】
本発明によれば、患者が診察券を挿入することにより、この診察券に記録された個人情報から患者の年齢を判断し、患者年齢に対応した表示形態でディスプレイ上に画面表示させるようにしたので、患者は表示内容を容易に把握することができ、表示内容が把握できないことによる処理の停滞を防止して、円滑な処理を可能とした。
【発明を実施するための最良の形態】
【００１３】
以下、本発明の医療情報システムの一実施の形態について、図面を用いて詳細に説明する。
【００１４】
はじめに、患者が来院して、受診するまでの病院内における流れを概略説明する。来院する患者には、初めて来院する新規の患者（以下、新患と呼ぶ）と、以前に来院した患者（以下、再診と呼ぶ）とがあり、さらに再診のなかには予約有りのものと予約なしのものとがある。新患は受付けにおいて新患登録手続を行う。このとき、次回以後の来院のために診察券を発行してもらう。再診の場合は、診察券を持っているので、この診察券により受付を行う。この際、予約のある／なしの情報は、病院側のシステムが保持している。この再診患者に対しては、本発明によるシステムが適用され、診察券を挿入することにより自動的に受付処理が行われる。
【００１５】
図1は、このような診察受付を行う受付機１０のシステム構成を示している。図１において、１１はカード情報読取手段で、患者が携行する電子式の診察券がカードリーダ１２に挿入されると、この診察券から患者の個人情報（診察券番号、患者氏名、患者生年月日、・・・、等）を読み取る。１３は表示フォーマット、及び患者情報の制御部で、カード情報読取手段１１より読み取った患者の個人情報を取り扱い、患者の年齢を判断する機能を有する。すなわち、この制御部１３は、患者年齢判断手段としても機能する。
【００１６】
１４は画面表示フォーマット選択手段で、後述するディスプレイ１５に表示される画面を、患者の年齢に応じて異なる表示形態に設定した複数の画面表示フォーマット１６（図の例では３箇の画面表示フォーマット１６Ａ，１６Ｂ，１６Ｃとする）を有する。そして、これら複数の画面表示フォーマット１６Ａ，１６Ｂ，１６Ｃの中から、前記患者年齢判断手段１３により特定された患者年齢に対応する画面表示フォーマット１６を選択する。
【００１７】
１７は画面表示処理手段で、画面表示フォーマット選択手段１４によって選択された年齢対応の画面表示フォーマット１６に基き、制御部１３からの患者情報や病院システムのデータベース１８に記録されている当該患者の予約情報を入手し、所定の受付画面をディスプレイ１５に表示させる。
【００１８】
ここで、ディスプレイ１５に表示される受付画面は、患者による操作を要するもので、例えば、図２で示すように、患者が受診しようとする診科を選択するためのソフトウエアによるボタン２１を有するものである。
【００１９】
図１に戻って、２２は係員呼び出しランプで、患者などの操作により点灯動作する。すなわち、患者が、操作がわからない場合など、図示しない係員呼び出しボタンを操作することにより点灯し、患者が係員を必要としていることを報知する。この係員呼び出しランプ２２は、受付機１０の本体部分に設けたり、或いは係員が待機する事務局などに設けたりする。すなわち、受付機１０の本体部分及び事務局の少なくともいずれかに設ける。
【００２０】
また、上述した係員呼び出しボタンは、受付機１０の本体部分の操作しやすい部分に設けたハードウエアによる図示しないボタンを用いたり、或いは、後述の図３で示すように、操作画面上にソフトウエアによるボタン２１Ｂとして表示したものを用いてもよい。
【００２１】
２３は時計手段で、選択された画面表示フォーマット１６が、画面表示処理手段１７によってディスプレイ１５に表示されると、その表示開始時点から計時を開始する。そして、予め設定した時間経過しても表示された画面に対する操作が行なわれないときは、前述した係員呼び出しランプ２２を点灯させる。
【００２２】
前記画面表示フォーマット１６としては、前述のように複数（図の例では３個）の表示形態が用意されており、これらを設定１の画面表示フォーマット１６Ａ、設定２の画面表示フォーマット１６Ｂ、設定３の画面表示フォーマット１６Ｃとする。
【００２３】
設定１の画面表示フォーマット１６Ａは、図２で示すように標準的な文字サイズによるもので、ソフトウエアによる診療科選択用のボタン２１Ａなどが表示されている。
【００２４】
設定２の画面表示フォーマット１６Ｂは、図３で示すように、高齢者用として標準より大きな文字サイズによるもので、診療科選択用のボタン２１Ａのほかに、高齢者対策として係員呼び出しボタン２１Ｂなどが表示されている。すなわち、操作がわからなくなった場合、この係員呼び出しボタン２１Ｂを操作することにより係員呼び出しランプ２２を点灯させ、係員を呼びだして操作を補助してもらうようにしている。
【００２５】
設定３の画面表示フォーマット１６Ｃは、図４で示すように、もう一つの高齢者用のもので、標準より大きな文字サイズを用いるとともに画面構成を単純化したものである。すなわち、診療科選択用のボタン２１Ａは「内科」と「内科以外」の２種として画面の簡略化を図り、見易さ、及び操作し易さを増している。この場合、「内科以外」を選択操作した場合は、図５で示すように「内科以外」の診療科を表示し、これらを選択可能としている。これら図４及び図５の画面においても、もちろん、高齢者対策として係員呼び出しボタン２１Ｂが表示される。
【００２６】
次に、図６のフローチャートを用いて動作を説明する。患者は、初診時に発行してもらった診察券を携行して再診を受ける。この際、先ず診察券を受付機１０のカードリーダ１２に挿入する。カードデータ読み取り手段１１は、診察券に記録されている患者の個人情報を読み取る（ステップ６０１）。患者年齢判断手段１３は、診察券から読み取った情報に基き患者の年齢を判断する（ステップ６０２）。画面表示フォーマット選択手段１４は特定された年齢に対応する画面表示フォーマット１６を選択する。画面表示処理手段１７は、選択された画面表示フォーマット１６にしたがって、ディスプレイ１５上に受付画面などのガイダンスを表示する（ステップ６０３）。
【００２７】
この場合、ディスプレイ１５への表示形態は、選択された画面表示フォーマット１６に基く。すなわち、患者の年齢が、例えば、６０歳未満であれば、設定１のフォーマット１６Ａが選択され、標準的な文字の大きさ（例えば、２０ｐｔ）で、図２で示したようなガイダンスを兼ねた受付画面を表示する（ステップ６０３Ａ）。患者が、この画面上の診療科選択ボタン２１Ａを正しく操作すると、その内容が図示しない該当診療科に送られ、診療受付状態となる。そして、ディスプレイ１５には、図７（ａ）で示すように、受付画面と同じ文字サイズで受付完了画面が表示される。
【００２８】
また、患者の年齢が、例えば、６０歳以上８０歳未満であれば、設定２のフォーマット１６Ｂが選択され、標準より大きな文字（例えば、３０ｐｔ）で、図３で示したようなガイダンスを兼ねた受付画面を表示する（ステップ６０３Ｂ）。患者が、この画面上の診療科選択ボタン２１Ａを正しく操作すると、その内容が図示しない該当診療科に送られ、診療受付状態となる。そして、ディスプレイ１５には、図７（ｂ）で示すように、受付画面と同じ、大きな文字サイズで受付完了画面が表示される。
【００２９】
さらに、患者の年齢が、例えば、８０歳以上であれば、設定３のフォーマット１６Ｃが選択され、標準よりさらに大きな文字（例えば、４０ｐｔ）で、図４で示したような単純化された受付画面を表示する（ステップ６０３Ｃ）。患者が、この図４及び図５で示した画面上の診療科選択ボタン２１Ａを正しく操作すれば、前述の場合と同様に、受付画面と同じ、大きな文字サイズで受付完了画面が表示され処理を終了するが、患者が操作を誤ったりして混乱し、操作方法がわからなくなった場合のために、係員呼び出しボタン２１Ｂを操作できるようにしている。すなわち、患者本人又は付き添いの人が係員呼び出しボタン２１Ｂを操作し、係員呼び出しランプ２２を点灯させることにより係員を呼び出し（ステップ６０４）、画面操作を補助してもらう。
【００３０】
また、選択された画面表示フォーマット１６が、画面表示処理手段１７によりディスプレイ１５に表示されたにもかかわらず、操作方法がわからない等の理由で、表示された画面に対する操作が行なわれない場合がある。この場合、時計手段２３は、表示開始時点から計時を開始しており、予め設定した時間経過しても画面に対する操作が行なわれないときは係員呼び出しランプ２２を点灯させる。このランプ２２の点灯により、係員は受付機１０まで赴き、画面操作を補助する。
【００３１】
このように、患者の個人情報を読み取ることにより、患者の年齢を判断し、その年齢に対応した表示形態でガイダンスなどを表示するので、患者は表示内容を容易に把握することができ、処理操作が滞ることを防止できる。また、操作がわからなくなった場合などは係員呼び出しボタン２１Ｂを操作して係員呼び出しランプ２２を点灯させることで、係員が操作の停滞を早期に検出して、この操作の停滞を解決することができる。さらに、画面表示後,所定時間経過しても操作が行なわれない場合は、自動的に係員呼び出しランプを点灯させるので、全く操作のわからない高齢者などに対しても適切に対処することができる。  
【図面の簡単な説明】
【００３２】
【図１】本発明による病院情報システムの一実施の形態を示す機能ブロック図である。
【図２】同上一実施の形態における標準的な受付画面を示す図である。
【図３】同上一実施の形態における高齢者用として文字サイズを大きくした受付画面を示す図である。
【図４】同上一実施の形態における高齢者用として文字サイズを大きくすると共に表示を簡略化した受付画面を示す図である。
【図５】図４で示した画面に対する操作に従属した画面を示す図である。
【図６】同上一実施の形態における動作を説明するフローチャートである。
【図７】同上一実施の形態における受付完了を表示する画面図である。
【符号の説明】
【００３３】
１０    受付機
１１    カード情報読み取り手段
１２    カードリーダ
１３    年齢判断手段として機能する制御部
１４    画面表示フォーマット選択手段
１５    ディスプレイ
１６    画面表示フォーマット
１７    画面表示処理手段
２１Ｂ    係員呼び出しボタン
２２    係員呼び出しランプ
２３    時計手段
【図１】
2008107952.tif 000003
【図２】
2008107952.tif 000004
【図３】
2008107952.tif 000005
【図４】
2008107952.tif 000006
【図５】
2008107952.tif 000007
【図６】
2008107952.tif 000008
【図７】
2008107952.tif 000009